(57)【要約】【課題】画像処理装置に過大な処理負担を課すことなく、情報処理端末にコンテンツを表示可能な画像処理システム、画像処理装置、コンテンツサーバー及びプログラムを提供する。【解決手段】  画像処理システム１を構成する画像処理装置２は、情報処理端末６のブラウザからのアクセス要求を受信した場合に、アクセス要求に含まれるブラウザ情報に基づき、ブラウザが第１操作画面情報３０を読み取ってコンテンツを表示可能であるか否かを判定する。そして、ブラウザが第１操作画面情報３０を読み取ってコンテンツを表示可能であると判定した場合に、画像処理装置２は、第１操作画面情報３０を情報処理端末６へ送信してブラウザに表示させると共に、ブラウザが第１操作画面情報３０を読み取ってコンテンツを表示可能でないと判定した場合に、コンテンツサーバー４に記憶されている第２操作画面情報７６に基づくコンテンツをブラウザに表示させる。【選択図】図１
2018165917.tif 000002
【特許請求の範囲】
【請求項１】
コンテンツを第１のフォーマットで記述した第１のウェブページを記憶する画像処理装置と、前記画像処理装置と通信可能であり、コンテンツを前記第１のフォーマットとは異なる第２のフォーマットで記述した第２のウェブページを記憶するコンテンツサーバーと、ネットワークを介してウェブページを取得して表示するブラウザを備える情報処理端末とを備える画像処理システムであって、
前記画像処理装置は、
前記ブラウザからのアクセス要求を受信した場合に、前記アクセス要求に含まれるブラウザ情報に基づき、前記ブラウザが前記第１のフォーマットで記述されたコンテンツを表示可能であるか否かを判定する判定手段と、
前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段と、
前記判定手段によって前記ブラウザが前記第１のフォーマットで記述されたコンテンツを表示可能でないと判定された場合に、前記コンテンツサーバーに記憶されている前記第２のウェブページを前記ブラウザに表示させる第２の表示制御手段と、
を備えることを特徴とする画像処理システム。
【請求項２】
前記画像処理装置は、
前記判定手段により前記ブラウザが前記第１のフォーマットで記述されたコンテンツを表示可能でないと判定された場合に、前記コンテンツサーバーに対して前記第２のウェブページを要求する要求手段、
をさらに備え、
前記コンテンツサーバーは、
前記画像処理装置から要求を受信すると、前記第２のウェブページを前記画像処理装置に対して送信するページ送信手段、
をさらに備え、
前記第２の表示制御手段は、前記コンテンツサーバーから前記第２のウェブページを取得すると、取得された前記第２のウェブページを前記ブラウザに表示させることを特徴とする請求項１に記載の画像処理システム。
【請求項３】
前記要求手段は、前記判定手段により前記第１のウェブページを構成する複数の前記コンテンツのうち一部のコンテンツを前記ブラウザが表示可能でないと判定された場合に、前記コンテンツサーバーに対して前記一部のコンテンツに対応するコンテンツを要求し、
前記第１の表示制御手段は、前記コンテンツサーバーからコンテンツを受信すると、前記一部のコンテンツを、前記コンテンツサーバーから受信したコンテンツに差し替えて前記ブラウザに表示させることを特徴とする請求項２に記載の画像処理システム。
【請求項４】
前記画像処理装置は、
前記判定手段によって前記ブラウザが前記第１のフォーマットで記述されたコンテンツを表示可能でないと判定された場合に、前記コンテンツサーバーに対して通知を行う通知手段と、
前記コンテンツサーバーから前記第２のウェブページへの導入ページを受信すると、前記情報処理端末に対して受信した前記導入ページを送信するページ転送手段と、
をさらに備え、
前記コンテンツサーバーは、
前記画像処理装置から前記通知を受信すると、前記導入ページを生成して前記画像処理装置に対して送信する導入生成手段と、
前記導入ページに基づいて前記ブラウザからのアクセス要求を受信した場合に、前記第２のウェブページを表示させる第３の表示制御手段と、
をさらに備えることを特徴とする請求項１乃至３のいずれかに記載の画像処理システム。
【請求項５】
前記通知手段は、前記通知と共に前記ブラウザ情報を前記コンテンツサーバーに送信し、
前記導入生成手段は、前記ブラウザ情報を参照すると共に、所定条件が成立する場合に、前記導入ページを前記画像処理装置に送信することを特徴とする請求項４に記載の画像処理システム。
【請求項６】
前記第２のウェブページが、前記画像処理装置に対する設定を行う設定操作画面からなり、
前記コンテンツサーバーは、
前記ブラウザにより表示される前記設定画面における操作が行われたことを検知する操作検知手段と、
前記操作検知手段により検知される前記操作に対応するコマンドを生成すると共に、生成された前記コマンドを前記画像処理装置に対して送信するコマンド送信手段と、
をさらに備え、
前記画像処理装置は、
前記コンテンツサーバーから受信する前記コマンドに応じて設定を行う設定手段、
をさらに備えることを特徴とする請求項４又は５に記載の画像処理システム。
【請求項７】
前記コンテンツサーバーは、複数の前記画像処理装置と通信可能であり、
前記ブラウザは、前記アクセス要求と共に前記画像処理装置の識別情報を前記コンテンツサーバーに対して送信し、
前記コマンド送信手段は、前記情報処理端末から受信する前記識別情報に対応する前記画像処理装置に対する前記コマンドを送信することを特徴とする請求項６に記載の画像処理システム。
【請求項８】
前記画像処理装置は、
前記情報処理端末に対して、前記コンテンツサーバーへのアクセス指示を送信する指示送信手段、
をさらに備え、
前記指示送信手段は、前記ページ転送手段により前記導入ページが前記情報処理端末に対して送信されてから所定時間が経過するまでの間に、前記コンテンツサーバーから前記コマンドを受信しない場合に、前記情報処理端末に対して前記アクセス指示を送信することを特徴とする請求項６又は７に記載の画像処理システム。
【請求項９】
コンテンツを第１のフォーマットで記述した第１のウェブページを記憶すると共に、コンテンツを前記第１のフォーマットとは異なる第２のフォーマットで記述した第２のウェブページを記憶するコンテンツサーバーと通信可能である画像処理装置であって、
ネットワークを介してウェブページを取得して表示可能な情報処理端末に搭載されるブラウザからのアクセス要求を受信した場合に、前記アクセス要求に含まれるブラウザ情報に基づき、前記ブラウザが前記第１のフォーマットで記述されたコンテンツを表示可能であるか否かを判定する判定手段と、
前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段と、
前記判定手段によって前記ブラウザが前記第１のフォーマットで記述されたコンテンツを表示可能でないと判定された場合に、前記コンテンツサーバーに記憶されている前記第２のウェブページを前記ブラウザに表示させる第２の表示制御手段と、
を備えることを特徴とする画像処理装置。
【請求項１０】
コンテンツを第１のフォーマットで記述した第１のウェブページを記憶する画像処理装置と通信可能であって、コンテンツを前記第１のフォーマットとは異なる第２のフォーマットで記述した第２のウェブページを記憶するコンテンツサーバーであって、
前記画像処理装置と通信を行っている情報処理端末に備えられるブラウザが前記第１のフォーマットで記述されたコンテンツを表示可能でない場合に、前記情報処理端末を前記第２のウェブページにアクセスさせる導入ページを生成すると共に、前記画像処理装置に対して送信する導入生成手段と、
前記導入ページに基づいて前記ブラウザからのアクセス要求を受信した場合に、前記第２のウェブページを表示させる表示制御手段と、
を備えることを特徴とするコンテンツサーバー。
【請求項１１】
コンテンツを第１のフォーマットで記述した第１のウェブページを記憶する画像処理装置において実行されるプログラムであって、
前記画像処理装置を、
ネットワークを介してウェブページを取得して表示可能な情報処理端末に搭載されるブラウザからのアクセス要求を受信した場合に、前記アクセス要求に含まれるブラウザ情報に基づいて、前記ブラウザが前記第１のフォーマットで記述されたコンテンツを表示可能であるか否かを判定する判定手段、
前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段、及び、
前記判定手段によって前記ブラウザが前記第１のフォーマットで記述されたコンテンツを表示可能でないと判定された場合に、前記画像処理装置と通信可能であるコンテンツサーバーに記憶されている、前記第１のフォーマットとは異なる第２のフォーマットで記述した第２のウェブページを前記ブラウザに表示させる第２の表示制御手段、
として機能させることを特徴とするプログラム。
【請求項１２】
コンテンツを第１のフォーマットで記述したウェブページを記憶する画像処理装置と通信可能であって、コンテンツを前記第１のフォーマットとは異なる第２のフォーマットで記述した第２のウェブページを記憶するコンテンツサーバーにおいて実行されるプログラムであって、
前記コンテンツサーバーを、
前記画像処理装置と通信を行っている情報処理端末に備えられるブラウザが前記第１のフォーマットで記述されたコンテンツを表示可能でない場合に、前記情報処理端末を前記第２のウェブページにアクセスさせる導入ページを生成すると共に、前記画像処理装置に対して送信する導入生成手段、及び、
前記導入ページに基づいて前記ブラウザからのアクセス要求を受信した場合に、前記第２のウェブページを表示させる表示制御手段、
として機能させることを特徴とするプログラム。
【発明の詳細な説明】
【技術分野】
【０００１】
本発明は、画像処理システム、画像処理装置、コンテンツサーバー及びプログラムに関し、特にコンテンツを表示させる技術に関する。
【背景技術】
【０００２】
従来、画像処理装置に対する操作を行う操作画面を、ブラウザにより画像処理装置の表示部に表示させる技術が提供されている。操作画面を構成するコンテンツは、画像処理装置に予め記憶されており、ブラウザはコンテンツを読み取ることにより操作画面を表示させる。近時、画像処理装置と情報処理端末とが通信を行うことにより、情報処理端末に搭載されるブラウザにより、画像処理装置から操作画面を構成するコンテンツを取得すると共に、情報処理端末の表示部に表示させる技術が提供されている。
【０００３】
画像処理装置に記憶されているコンテンツには、該画像処理装置に搭載されるブラウザに対応しているフォーマットが用いられる。そうすると、情報処理端末に搭載されるブラウザと画像処理装置に搭載されるブラウザとが異なる場合、情報処理端末のブラウザは、画像処理装置に記憶されているコンテンツに用いられるフォーマットに対応していないことがある。そうすると、情報処理端末のブラウザによってこのコンテンツを良好に表示できない。
【０００４】
そこで、画像処理装置により生成されるウェブページが情報処理端末に搭載されるブラウザによって表示できない場合に、このウェブページとは異なるデータフォーマット（例えばビットマップ画像）の画面が生成され、情報処理端末に表示させる画像処理システムが提供されている（特許文献１）。
【先行技術文献】
【特許文献】
【０００５】
【特許文献１】特開２０１４−１２００１７号公報
【発明の概要】
【発明が解決しようとする課題】
【０００６】
特許文献１に示される画像処理システムによると、画像処理装置により情報処理端末のブラウザにより表示可能な画面が生成される。しかし、画像処理装置によりこのような画面を生成する場合には、画像処理装置における処理負担が増大する。
【０００７】
そこで本発明は、上記の問題点を解決するためになされたものであり、画像処理装置における過大な処理負担を課すことなく情報処理端末にコンテンツを表示可能な画像処理システム、画像処理装置、コンテンツサーバー及びプログラムを提供することを目的とする。
【課題を解決するための手段】
【０００８】
上記目的を達成するため、請求項１の発明は、コンテンツを第１のフォーマットで記述した第１のウェブページを記憶する画像処理装置と、前記画像処理装置と通信可能であり、コンテンツを前記第１のフォーマットとは異なる第２のフォーマットで記述した第２のウェブページを記憶するコンテンツサーバーと、ネットワークを介してウェブページを取得して表示するブラウザを備える情報処理端末とを備える画像処理システムであって、前記画像処理装置は、前記ブラウザからのアクセス要求を受信した場合に、前記アクセス要求に含まれるブラウザ情報に基づき、前記ブラウザが前記第１のフォーマットで記述されたコンテンツを表示可能であるか否かを判定する判定手段と、前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段と、前記判定手段によって前記ブラウザが前記第１のフォーマットで記述されたコンテンツを表示可能でないと判定された場合に、前記コンテンツサーバーに記憶されている前記第２のウェブページを前記ブラウザに表示させる第２の表示制御手段とを備えることを特徴とする構成である。
【０００９】
請求項２の発明は、請求項１に記載の画像処理システムにおいて、前記画像処理装置は、前記判定手段により前記ブラウザが前記第１のフォーマットで記述されたコンテンツを表示可能でないと判定された場合に、前記コンテンツサーバーに対して前記第２のウェブページを要求する要求手段をさらに備え、前記コンテンツサーバーは、前記画像処理装置から要求を受信すると、前記第２のウェブページを前記画像処理装置に対して送信するページ送信手段をさらに備え、前記第２の表示制御手段は、前記コンテンツサーバーから前記第２のウェブページを取得すると、取得された前記第２のウェブページを前記ブラウザに表示させることを特徴とする構成である。
【００１０】
請求項３の発明は、請求項２に記載の画像処理システムにおいて、前記要求手段は、前記判定手段により前記第１のウェブページを構成する複数の前記コンテンツのうち一部のコンテンツを前記ブラウザが表示可能でないと判定された場合に、前記コンテンツサーバーに対して前記一部のコンテンツに対応するコンテンツを要求し、前記第１の表示制御手段は、前記コンテンツサーバーからコンテンツを受信すると、前記一部のコンテンツを、前記コンテンツサーバーから受信したコンテンツに差し替えて前記ブラウザに表示させることを特徴とする構成である。
【００１１】
請求項４の発明は、請求項１乃至３のいずれかに記載の画像処理システムにおいて、前記画像処理装置は、前記判定手段によって前記ブラウザが前記第１のフォーマットで記述されたコンテンツを表示可能でないと判定された場合に、前記コンテンツサーバーに対して通知を行う通知手段と、前記コンテンツサーバーから前記第２のウェブページへの導入ページを受信すると、前記情報処理端末に対して受信した前記導入ページを送信するページ転送手段とをさらに備え、前記コンテンツサーバーは、前記画像処理装置から前記通知を受信すると、前記導入ページを生成して前記画像処理装置に対して送信する導入生成手段と、前記導入ページに基づいて前記ブラウザからのアクセス要求を受信した場合に、前記第２のウェブページを表示させる第３の表示制御手段とをさらに備えることを特徴とする構成である。
【００１２】
請求項５の発明は、請求項４に記載の画像処理システムにおいて、前記通知手段は、前記通知と共に前記ブラウザ情報を前記コンテンツサーバーに送信し、前記導入生成手段は、前記ブラウザ情報を参照すると共に、所定条件が成立する場合に、前記導入ページを前記画像処理装置に送信することを特徴とする構成である。
【００１３】
請求項６の発明は、請求項４又は５に記載の画像処理システムにおいて、前記第２のウェブページが、前記画像処理装置に対する設定を行う設定操作画面からなり、前記コンテンツサーバーは、前記ブラウザにより表示される前記設定画面における操作が行われたことを検知する操作検知手段と、前記操作検知手段により検知される前記操作に対応するコマンドを生成すると共に、生成された前記コマンドを前記画像処理装置に対して送信するコマンド送信手段とをさらに備え、前記画像処理装置は、前記コンテンツサーバーから受信する前記コマンドに応じて設定を行う設定手段をさらに備えることを特徴とする構成である。
【００１４】
請求項７の発明は、請求項６に記載の画像処理システムにおいて、前記コンテンツサーバーは、複数の前記画像処理装置と通信可能であり、前記ブラウザは、前記アクセス要求と共に前記画像処理装置の識別情報を前記コンテンツサーバーに対して送信し、前記コマンド送信手段は、前記情報処理端末から受信する前記識別情報に対応する前記画像処理装置に対する前記コマンドを送信することを特徴とする構成である。
【００１５】
請求項８の発明は、請求項６又は７に記載の画像処理システムにおいて、前記画像処理装置は、前記情報処理端末に対して、前記コンテンツサーバーへのアクセス指示を送信する指示送信手段をさらに備え、前記指示送信手段は、前記ページ転送手段により前記導入ページが前記情報処理端末に対して送信されてから所定時間が経過するまでの間に、前記コンテンツサーバーから前記コマンドを受信しない場合に、前記情報処理端末に対して前記アクセス指示を送信することを特徴とする構成である。
【００１６】
請求項９の発明は、コンテンツを第１のフォーマットで記述した第１のウェブページを記憶すると共に、コンテンツを前記第１のフォーマットとは異なる第２のフォーマットで記述した第２のウェブページを記憶するコンテンツサーバーと通信可能である画像処理装置であって、ネットワークを介してウェブページを取得して表示可能な情報処理端末に搭載されるブラウザからのアクセス要求を受信した場合に、前記アクセス要求に含まれるブラウザ情報に基づき、前記ブラウザが前記第１のフォーマットで記述されたコンテンツを表示可能であるか否かを判定する判定手段と、前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段と、前記判定手段によって前記ブラウザが前記第１のフォーマットで記述されたコンテンツを表示可能でないと判定された場合に、前記コンテンツサーバーに記憶されている前記第２のウェブページを前記ブラウザに表示させる第２の表示制御手段とを備えることを特徴とする構成である。
【００１７】
請求項１０の発明は、コンテンツを第１のフォーマットで記述した第１のウェブページを記憶する画像処理装置と通信可能であって、コンテンツを前記第１のフォーマットとは異なる第２のフォーマットで記述した第２のウェブページを記憶するコンテンツサーバーであって、前記画像処理装置と通信を行っている情報処理端末に備えられるブラウザが前記第１のフォーマットで記述されたコンテンツを表示可能でない場合に、前記情報処理端末を前記第２のウェブページにアクセスさせる導入ページを生成すると共に、前記画像処理装置に対して送信する導入生成手段と、前記導入ページに基づいて前記ブラウザからのアクセス要求を受信した場合に、前記第２のウェブページを表示させる表示制御手段とを備えることを特徴とする構成である。
【００１８】
請求項１１の発明は、コンテンツを第１のフォーマットで記述した第１のウェブページを記憶する画像処理装置において実行されるプログラムであって、前記画像処理装置を、ネットワークを介してウェブページを取得して表示可能な情報処理端末に搭載されるブラウザからのアクセス要求を受信した場合に、前記アクセス要求に含まれるブラウザ情報に基づいて、前記ブラウザが前記第１のフォーマットで記述されたコンテンツを表示可能であるか否かを判定する判定手段と、前記判定手段によって前記ブラウザが前記第１のフォーマットで記述されたコンテンツを表示可能であると判定された場合に、前記第１のウェブページを前記情報処理端末へ送信して前記ブラウザに表示させる第１の表示制御手段と、前記判定手段によって前記ブラウザが前記第１のフォーマットで記述されたコンテンツを表示可能でないと判定された場合に、前記画像処理装置と通信可能であるコンテンツサーバーに記憶されている、前記第１のフォーマットとは異なる第２のフォーマットで記述した第２のウェブページを前記ブラウザに表示させる第２の表示制御手段として機能させることを特徴とする構成である。
【００１９】
請求項１２の発明は、コンテンツを第１のフォーマットで記述したウェブページを記憶する画像処理装置と通信可能であって、コンテンツを前記第１のフォーマットとは異なる第２のフォーマットで記述した第２のウェブページを記憶するコンテンツサーバーにおいて実行されるプログラムであって、前記コンテンツサーバーを、前記画像処理装置と通信を行っている情報処理端末に備えられるブラウザが前記第１のフォーマットで記述されたコンテンツを表示可能でない場合に、前記情報処理端末を前記第２のウェブページにアクセスさせる導入ページを生成すると共に、前記画像処理装置に対して送信する導入生成手段と、前記導入ページに基づいて前記ブラウザからのアクセス要求を受信した場合に、前記第２のウェブページを表示させる表示制御手段として機能させることを特徴とする構成である。
【発明の効果】
【００２０】
本発明によれば、画像処理装置における処理負担を増大させることなく情報処理端末にコンテンツを表示することが可能となる。
【図面の簡単な説明】
【００２１】
【図１】本発明の実施形態における画像処理システムの構成例を示す図である。
【図２】本発明の実施形態における画像処理装置のハードウェア構成及び機能構成の一例を示すブロック図である。
【図３】ブラウザ情報の構成の一例を示す図である。
【図４】ブラウザ対応情報の構成の一例を示す図である。
【図５】本発明の実施形態におけるコンテンツサーバーのハードウェア構成及び機能構成の一例を示すブロック図である。
【図６】導入画面の構成の一例を示す図である。
【図７】本発明の実施形態における情報処理端末のハードウェア構成及び機能構成の一例を示すブロック図である。
【図８】本発明の実施形態における画像処理システムの動作態様の一例を示すシーケンス図である。
【図９】本発明の実施形態における画像処理システムの動作態様の一例を示すシーケンス図である。
【図１０】本発明の実施形態における画像処理システムを構成する画像処理装置により実行される主要な処理手順の一例を示すフローチャートである。
【図１１】画像処理装置において実行される判定処理の具体的な処理手順の一例を示すフローチャートである。
【図１２】画像処理装置において実行される切換処理の具体的な処理手順の一例を示すフローチャートである。
【図１３】画像処理装置において実行される設定処理の具体的な処理手順の一例を示すフローチャートである。
【図１４】本発明の実施形態における画像処理システムを構成するコンテンツサーバーにより実行される主要な処理手順の一例を示すフローチャートである。
【図１５】コンテンツサーバーにおいて実行される画面送信処理の具体的な処理手順の一例を示すフローチャートである。
【図１６】コンテンツサーバーにおいて実行されるアクセス処理の具体的な処理手順の一例を示すフローチャートである。
【発明を実施するための形態】
【００２２】
以下、本発明に関する好ましい実施形態を、図面を参照しつつ詳細に説明する。なお、以下に説明する実施形態において、互いに共通する部材には同一符号を付しており、それらについての重複する説明は省略する。
【００２３】
図１は、本発明の一実施形態における画像処理システムの構成例を示す図である。画像処理システム１は、画像処理装置２と、コンテンツサーバー４と、情報処理端末６とを備える。画像処理装置２と、コンテンツサーバー４と、情報処理端末６は、互いに通信可能である。
【００２４】
画像処理装置２は、ＭＦＰ（Multifunction Peripherals）などで構成され、ユーザーによる指示操作に基づいてスキャンジョブやプリントジョブ、Ｆａｘジョブなどの画像処理に関する様々なジョブを実行する。画像処理装置２は、ユーザーがジョブの設定操作や実行指示操作などを行うための操作画面を表示する表示部１２と、操作入力を行うための操作部１４を備える。画像処理装置２は、ハードディスクドライブ（ＨＤＤ）やソリッドステートドライブ（ＳＳＤ）などにより構成される記憶部１８を備える。記憶部１８には、表示部１２に操作画面を表示させるための第１操作画面情報３０が予め記憶されている。画像処理装置２は、記憶部１８に記憶されるブラウザプログラム３４を実行してブラウザとして機能させることにより、第１操作画面情報３０に基づき操作画面を表示部１２に表示させる。第１操作画面情報３０は、このブラウザにより読み取り可能なフォーマットにより記述される。
【００２５】
コンテンツサーバー４は、ＬＡＮ（Local Area Network）やインターネットなどのネットワークを介して画像処理装置２と通信可能であり、ハードディスクドライブ（ＨＤＤ）やソリッドステートドライブ（ＳＳＤ）などの記憶部７４を備えるサーバーにより構成される。記憶部７４には、画像処理装置２の操作画面を表示させるための第２操作画面情報７６が予め記憶されている。第２操作画面情報７６は、ブラウザにより読み取られることにより、第１操作画面情報３０に基づいて表示される操作画面と同様の操作画面を表示させる。第２操作画面情報７６は、第１操作画面情報３０とは異なるフォーマットにより記述される。コンテンツサーバー４は、互いに異なるフォーマットにより記述される複数の第２操作画面情報７６を記憶部７４に記憶させていてもよい。
【００２６】
情報処理端末６は、画像処理装置２及びコンテンツサーバー４と通信を行う装置である。情報処理端末６は、携帯可能なタブレット端末やスマートフォン、或いは一般的なパーソナルコンピュータ（ＰＣ）により構成される。情報処理端末６は、画像処理装置２とＬＡＮ（Local Area Network）やインターネットなどのネットワークを介して通信を行ってもよいし、情報処理端末６と画像処理装置２とが一対一で無線通信を行ってもよい。情報処理端末６は、コンテンツサーバー４とも通信可能である。
【００２７】
画像処理システム１において、情報処理端末６は画像処理装置２と通信を行い、表示部１２に表示される操作画面と同様の画面を表示させることができる。情報処理端末６は、画像処理装置２に対する操作を行うための画面を表示部１１２に表示させて、画像処理装置２に対するジョブの設定や実行指示などを遠隔操作で行うことが可能である。情報処理端末６は、ブラウザプログラム１２０を備えており、ブラウザプログラム１２０を実行させることによりブラウザ１１０として機能させる。情報処理端末６は、ブラウザ１１０により画像処理装置２に対してアクセス要求を行う。
【００２８】
画像処理装置２は、情報処理端末６からアクセス要求を受信すると、記憶部１８に記憶される第１操作画面情報３０を情報処理端末６に送信する。情報処理端末６は、第１操作画面情報３０を受信すると、ブラウザ１１０により表示部１１２に操作画面を表示させる。画像処理装置２は、情報処理端末６からのアクセス要求を受信する際に、ブラウザ１１０の種類やバージョン等を含むブラウザ情報６０を取得する。
【００２９】
画像処理装置２は、取得したブラウザ情報６０に基づき、第１操作画面情報３０がブラウザ１１０において正常に表示可能なフォーマットで記述された情報であるか否かを判定する。具体的には、画像処理装置２は、第１操作画面情報３０に用いられるフォーマットにブラウザ１１０が対応しているか否かを判定する。第１操作画面情報３０に用いられるフォーマットにブラウザ１１０が対応していない場合、操作画面に表示されるはずの動画像が表示されなかったり、画像の表示態様が画像処理装置２の表示部１２に表示される操作画面の態様とは異なったりすることがある。
【００３０】
そこで、画像処理装置２は、第１操作画面情報３０がブラウザ１１０に対応していないと判定した場合、コンテンツサーバー４に対して第２操作画面情報７６を要求するページ要求を送信する。ブラウザ１１０に読取可能な第２操作画面情報７６をコンテンツサーバー４から取得することにより、画像処理装置２は、第１操作画面情報３０に基づいて表示される操作画面と同様の操作画面を、情報処理端末６の表示部１１２に表示させることが可能となる。この場合、画像処理装置２は、ページ要求と共にブラウザ情報６０をコンテンツサーバー４に対して送信する。コンテンツサーバー４は、ページ要求を受信するとブラウザ情報６０を参照して、ブラウザ１１０に対応する第２操作画面情報７６を抽出する。コンテンツサーバー４は、抽出された第２操作画面情報７６を画像処理装置２に送信する。第２操作画面情報７６を受信すると、画像処理装置２は第２操作画面情報７６を情報処理端末６に送信して、情報処理端末６のブラウザ１１０に操作画面を表示させる。
【００３１】
これとは異なり、画像処理装置２は、情報処理端末６にコンテンツサーバー４へアクセスさせ、コンテンツサーバー４は情報処理端末６に第２操作画面情報７６を送信し、ブラウザ１１０に操作画面を表示させてもよい。
【００３２】
本実施形態において、ブラウザ１１０により読み取られるコンテンツの一例として、第１操作画面情報３０及び第２操作画面情報７６に基づいて表示される画像処理装置２の操作画面を示すが、これに限られず、ブラウザにより表示可能なウェブページを広く含む。
【００３３】
上述したような本実施形態における画像処理システム１を構成する画像処理装置２，コンテンツサーバー４及び情報処理端末６の各々の構成を説明する。図２は、画像処理装置２のハードウェア構成及び機能構成の一例を示すブロック図である。画像処理装置２は、コンテンツサーバー４及び情報処理端末６を含む外部デバイスとの有線又は無線による通信におけるインタフェースになる通信インタフェース１０と、液晶ディスプレイなどで構成される表示部１２と、操作部１４と、第１操作画面情報３０を記憶する記憶部１８と、記憶部１８に予め記憶されている制御プログラム（図示せず）が実行されることにより機能する制御部１６と、原稿を読み取って画像データを生成可能なスキャナ部２０と、印刷出力を実行可能なプリンタ部２２と、Ｆａｘデータの送受信を実行可能なＦａｘ部２４とを備える。
【００３４】
制御部１６は、情報処理端末６から受信するアクセス要求を受け付けるアクセス要求受付部４０と、第１操作画面情報３０がブラウザ１１０に対応するか否かを判定する判定部４２と、第１操作画面情報３０に基づいて操作画面を表示させる第１表示制御部４４と、ユーザーによる操作入力を受け付ける操作受付部４６と、ジョブの設定や実行を制御するジョブ実行部４８と、コンテンツサーバー４に対して第２操作画面情報７６を要求するページ要求部５０と、第２操作画面情報７６に基づいて操作画面を表示させる第２表示制御部５２とを備える。
【００３５】
アクセス要求受付部４０は、通信インタフェース１０を介して情報処理端末６から受信するアクセス要求を受け付ける処理部である。情報処理端末６は、ブラウザ１１０を機能させると共に、ブラウザ１１０により画像処理装置２に対してアクセス要求を行う。アクセス要求受付部４０は、アクセス要求を受け付けると共に、ブラウザ１１０に関するブラウザ情報６０を取得する。図３は、ブラウザ情報６０の構成の一例を示す図である。ブラウザ情報６０は、ブラウザの名称、バージョン、コンテンツの記述を読み取ってレイアウトや画像の配置を決定するレンダリングエンジン、読取可能なタグ、読取可能な画像形式を含む。
【００３６】
図２に戻り、判定部４２は、ブラウザ情報６０に基づいてブラウザ１１０が第１操作画面情報３０を読み取って操作画面を正常に表示可能であるか否かを判定する処理部である。アクセス要求受付部４０によりアクセス要求が受け付けられると、判定部４２が機能して、アクセス要求受付部４０により取得されたブラウザ情報６０に基づき、第１操作画面情報３０に用いられるフォーマットがブラウザ１１０により正常に読み取り可能であり、且つ、第１操作画面情報３０に含まれる各コンテンツを正常にレンダリング可能であるか否かが判定される。
【００３７】
判定部４２は、記憶部１８に予め記憶されるブラウザ対応情報３２を参照する。ブラウザ対応情報３２は、第１操作画面情報３０に用いられるフォーマットを読み取ることができるブラウザの情報が登録される情報である。図４は、ブラウザ対応情報３２の構成の一例を示す図である。図４のブラウザ対応情報３２には、第１操作画面情報３０を読取可能なブラウザの名称、バージョン、ブラウザに備えられるレンダリングエンジン、読取可能なタグ及び画像形式などが含まれる。判定部４２はブラウザ対応情報３２を参照すると共に、アクセス要求受付部４０により取得されるブラウザ情報６０に対応するブラウザ１１０がブラウザ対応情報３２に登録されるブラウザのいずれかに該当する場合、ブラウザ１１０は第１操作画面情報３０に用いられるフォーマットを読取可能であると判定する。ブラウザ１１０がブラウザ対応情報３２に登録されるブラウザのいずれにも該当しない場合、判定部４２は、ブラウザ１１０が第１操作画面情報３０に用いられるフォーマットを読み取りできないと判定する。
【００３８】
第１表示制御部４４は、判定部４２によってブラウザ１１０が第１操作画面情報３０を読み取って操作画面を表示可能であると判定された場合、第１操作画面情報３０を情報処理端末６へ送信してブラウザ１１０に表示させる処理部である。判定部４２によりブラウザ１１０が第１操作画面情報３０を読み取って操作画面を表示可能であると判定された場合、第１表示制御部４４が機能する。第１表示制御部４４は、記憶部１８に記憶されている第１操作画面情報３０を情報処理端末６に送信する。第１操作画面情報３０を受信すると、情報処理端末６は、ブラウザ１１０により第１操作画面情報３０を読み取り、表示部１１２に操作画面を表示させる。
【００３９】
操作受付部４６は、操作入力を受け付ける処理部である。操作部１４がユーザーにより操作されると、操作受付部４６により操作入力が受け付けられる。通信インタフェース１０を介して情報処理端末６から操作入力を受信すると、操作受付部４６は受信された操作入力を受け付ける。操作受付部４６により操作入力が受け付けられると、ジョブ実行部４８が機能する。ジョブ実行部４８は、操作入力に応じて設定を行い、或いはジョブを実行する処理部である。一例として、ブラウザ１１０により操作画面が表示されている状態で、情報処理端末６を使用するユーザーにより印刷態様を「２ｉｎ１」にする操作が行われると、ブラウザ１１０は印刷態様を「２ｉｎ１」にする操作入力信号を画像処理装置２に対して送信する。操作受付部４６により操作入力信号が受け付けられると、ジョブ実行部４８が機能し、ジョブ実行部４８は印刷態様を「２ｉｎ１」とする設定を行う。
【００４０】
ページ要求部５０は、判定部４２によりブラウザ１１０が第１操作画面情報３０に用いられるフォーマットを読み取り可能でないと判定された場合に、コンテンツサーバー４に対して第２操作画面情報７６を要求する処理部である。ページ要求部５０は、判定部４２によりブラウザ１１０が第１操作画面情報３０に用いられるフォーマットを読取可能ではないと判定されると、ページ要求を生成してコンテンツサーバー４に対してページ要求を送信する。ページ要求部５０は、ページ要求と共にブラウザ１１０に関するブラウザ情報６０をコンテンツサーバー４に送信する。
【００４１】
第２表示制御部５２は、コンテンツサーバー４から受信する第２操作画面情報７６を情報処理端末６に送信して、情報処理端末６に操作画面を表示させる処理部である。第２表示制御部５２は、判定部４２によりブラウザ１１０が第１操作画面情報３０に用いられるフォーマットを読取可能でないと判定された場合に、コンテンツサーバー４に記憶されている第２操作画面情報７６により情報処理端末６に操作画面を表示させる。ページ要求部５０により送信されたページ要求に応じてコンテンツサーバー４から第２操作画面情報７６が送信され、通信インタフェース１０を介してこれを受信すると、第２表示制御部５２が機能する。第２表示制御部５２は、第２操作画面情報７６を情報処理端末６に対して送信する。
【００４２】
情報処理端末６が第２操作画面情報７６を画像処理装置２から受信すると、ブラウザ１１０により操作画面を表示部１１２に表示させる。画像処理装置２に記憶されている第１操作画面情報３０にブラウザ１１０が対応していない場合に、画像処理装置２はコンテンツサーバー４からブラウザ１１０に対応する第２操作画面情報７６を取得して情報処理端末６に送信する。これにより、情報処理端末６は、ブラウザ１１０により画像処理装置２に対する設定等を行う操作画面を表示部１１２に表示させることが可能となる。画像処理装置２は、コンテンツサーバー４から第２操作画面情報７６を取得することから、自機の記憶部１８に第２操作画面情報７６を予め記憶する必要がなく、記憶部１８の記憶可能領域を広く確保できる。
【００４３】
第１操作画面情報３０が複数の階層の操作画面に対応している場合、判定部４２は、各階層の操作画面毎にブラウザ１１０により表示可能であるか否かを判定する。この場合、ブラウザ対応情報３２は、各階層の操作画面毎に読取可能なブラウザに関する情報を登録する。判定部４２は、ブラウザ対応情報３２を参照して、ブラウザ１１０によりいずれの階層の操作画面を表示可能であるか否かを判別する。一例として、複数の階層の操作画面のうち、一部の階層の操作画面に含まれる画像の形式がブラウザ１１０により読取不能である場合、判定部４２は、当該階層の操作画面がブラウザ１１０により表示不能であると判定する。そして、ページ要求部５０は、判定部４２により複数の階層の操作画面のうち、ブラウザ１１０により表示可能ではないと判定された階層の操作画面に対応する第２操作画面情報７６を、コンテンツサーバー４に要求する。
【００４４】
コンテンツサーバー４から所定の階層の操作画面に対応する第２操作画面情報７６を取得すると、第１表示制御部４４が機能する。第１表示制御部４４は、所定の階層の操作画面に対応する第１操作画面情報３０を、コンテンツサーバー４から受信した第２操作画面情報７６に差し替えると共に、差し替え後の第１操作画面情報３０を情報処理端末６に対して送信する。これにより、情報処理端末６のブラウザ１１０により操作画面を表示可能となる。
【００４５】
上述した場合とは異なり、画像処理装置２は、情報処理端末６をコンテンツサーバー４にアクセスさせることにより、コンテンツサーバー４から情報処理端末６に対して第２操作画面情報７６を送信させてもよい。後述するように、コンテンツサーバー４は、画像処理装置２からページ要求を受信すると共に第２操作画面情報７６を抽出する。例えば、抽出された第２操作画面情報７６のデータ量が所定値以上である場合に、コンテンツサーバー４は、第２操作画面情報７６を画像処理装置２に送信しない。コンテンツサーバー４は、情報処理端末６のブラウザ１１０により実行されることにより、情報処理端末６をコンテンツサーバー４にアクセスさせる導入画面情報７８を画像処理装置２に送信する。画像処理装置２は、導入画面情報７８を受信すると、受信した導入画面情報７８を情報処理端末６に対して送信する。
【００４６】
制御部１６は、ページ転送部５４をさらに備える。ページ転送部５４は、コンテンツサーバー４から導入画面情報７８を受信すると、情報処理端末６に対して導入画面情報７８を送信する処理部である。導入画面情報７８を受信すると、情報処理端末６はブラウザ１１０により導入画面情報７８を読み取る。導入画面情報７８には、コンテンツサーバー４に対してアクセスさせるプログラムが埋め込まれており、ブラウザ１１０により読み取られると、情報処理端末６はコンテンツサーバー４にアクセス要求を送信する。情報処理端末６からアクセス要求を受信すると、コンテンツサーバー４は、情報処理端末６に対して第２操作画面情報７６が送信する。これにより、画像処理装置２を介することなく第２操作画面情報７６がコンテンツサーバー４から情報処理端末６に送信されるため、データの流通経路を簡略化できる。
【００４７】
次に、コンテンツサーバー４の構成を説明する。図５は、コンテンツサーバー４のハードウェア構成及び機能構成の一例を示すブロック図である。コンテンツサーバー４は、画像処理装置２や情報処理端末６などの外部デバイスとの通信におけるインタフェースとなる通信インタフェース７０と、ＣＰＵ７２と、記憶部７４とを備える。ＣＰＵ７２は、記憶部７４に予め記憶されている制御プログラムが実行されることにより、画像処理装置２から受信するページ要求を受け付けるページ要求受付部８０と、記憶部７４に記憶される第２操作画面情報７６を管理するページ管理部８２と、第２操作画面情報７６を画像処理装置２に対して送信するページ送信部８４と、記憶部７４に予め記憶される導入画面情報７８に基づいて導入画面を生成する導入画面生成部８６と、第２操作画面情報７６に基づいて情報処理端末６に操作画面を表示させる第３表示制御部８８と、情報処理端末６による操作入力を検知する操作検知部９０と、画像処理装置２に対するコマンドを生成して送信するコマンド送信部９２とを備える。
【００４８】
ページ要求受付部８０は、画像処理装置２から受信するページ要求を受け付ける処理部である。ページ要求受付部８０は、ページ要求を受け付けると共に、画像処理装置２から受信するブラウザ情報６０を受け付ける。ページ要求受付部８０によりページ要求及びブラウザ情報６０が受け付けられると、ページ管理部８２が機能する。本実施形態においてページ管理部８２は、ページ要求受付部８０により受け付けられたブラウザ情報６０を参照すると共に、ブラウザ１１０により読取可能な第２操作画面情報７６を抽出する。
【００４９】
記憶部７４に複数の第２操作画面情報７６が記憶される場合に、ページ管理部８２は、複数の第２操作画面情報７６のうちブラウザ１１０により読取可能な一の第２操作画面情報７６を抽出する。一例として、コンテンツサーバー４は、各第２操作画面情報７６と、各第２操作画面情報７６を読取可能なブラウザ情報とをそれぞれ対応付ける対応情報（図示せず）を予め備えており、ページ管理部８２は、このような対応情報を参照することによりブラウザ１１０により読取可能な一の第２操作画面情報７６を抽出可能である。ページ管理部８２により一の第２操作画面情報７６が抽出されると、ページ送信部８４が機能する。
【００５０】
ページ送信部８４は、画像処理装置２からのページ要求に応じて、第２操作画面情報７６を送信する処理部である。本実施形態において、ページ管理部８２により一の第２操作画面情報７６が抽出されると、ページ送信部８４は、抽出された第２操作画面情報７６を画像処理装置２に対して送信する。
【００５１】
ページ管理部８２は、抽出された第２操作画面情報７６を画像処理装置２に対して送信するか否かを判定してもよい。一例として第２操作画面情報７６のデータ量が所定値以上である場合や、第２操作画面情報７６に基づく操作画面が外部サーバーに保持されているコンテンツと連携する場合など、第２操作画面情報７６を画像処理装置２に送信し、画像処理装置２から情報処理端末６に対して送信することにより、処理遅延が発生したり、不具合が発生したりするおそれがある場合、ページ管理部８２は第２操作画面情報７６を画像処理装置２に送信しないと判定する。第２操作画面情報７６に基づく操作画面が外部サーバーに保持されるコンテンツと連携する場合の一例として、第２操作画面情報７６がブラウザ１１０により読み取られると、外部サーバーに保持される画像情報が取得され、表示部１１２の操作画面内に画像が表示される場合などがある。
【００５２】
ページ管理部８２により第２操作画面情報７６を画像処理装置２に送信すると判定された場合、ページ送信部８４は第２操作画面情報７６を画像処理装置２に対して送信する。これに対し、ページ管理部８２により第２操作画面情報７６を画像処理装置２に送信しないと判定された場合、導入画面生成部８６が機能する。導入画面生成部８６は、導入画面情報７８に基づいて導入画面Ｇ１を生成し、画像処理装置２に送信する処理部である。導入画面情報７８が画像処理装置２に受信されると、上述したように、画像処理装置２は導入画面情報７８を情報処理端末６に送信する。情報処理端末６は、受信した導入画面情報７８をブラウザ１１０により読み取ることにより、表示部１１２に導入画面Ｇ１を表示させる。図６は、導入画面Ｇ１の構成の一例を示す図である。導入画面Ｇ１は、画像処理装置２からコンテンツサーバー４により指定される宛先へアクセス先が切り替えられることを報知する切替報知表示１３０と、コンテンツサーバー４により指定されるアクセス先を示すＵＲＬ表示１３２を備える。ＵＲＬ表示１３２に示されるアクセス先は、記憶部７４において第２操作画面情報７６が格納される領域に基づいて、導入画面生成部８６により生成される。
【００５３】
情報処理端末６のブラウザ１１０により導入画面情報７８が読み取られると、導入画面情報７８に含まれるプログラムが実行され、情報処理端末６はＵＲＬ表示１３２に示される宛先に対してアクセス要求を送信する。これにより、情報処理端末６のユーザーが手動操作によりコンテンツサーバー４に対してアクセス要求を送信する必要がなく、ブラウザ１１０により自動でコンテンツサーバー４に対してアクセス要求を行うことができる。
【００５４】
第３表示制御部８８は、導入画面Ｇ１に基づくブラウザ１１０からのアクセス要求を受信した場合に、第２操作画面情報７６を情報処理端末６に送信して操作画面を表示させる処理部である。第３表示制御部８８は、情報処理端末６のブラウザ１１０からアクセス要求を受信すると、アクセス要求の宛先であるＵＲＬに対応する記憶領域に格納されている第２操作画面情報７６を、情報処理端末６に対して送信する。これにより、コンテンツサーバー４から情報処理端末６に対して第２操作画面情報７６が送信されるのである。
【００５５】
操作検知部９０は、第２操作画面情報７６に基づいてブラウザ１１０により表示される操作画面において操作が行われたことを検知する処理部である。コンテンツサーバー４から情報処理端末６に対して送信された第２操作画面情報７６に基づいて、ブラウザ１１０により操作画面が表示されている状態で操作部１１４が操作されると、情報処理端末６からコンテンツサーバー４に対して操作入力信号が送信される。コンテンツサーバー４が操作入力信号を受信すると、操作検知部９０は操作画面における操作を検知する。
【００５６】
操作検知部９０により操作入力が検知されると、コマンド送信部９２が機能する。コマンド送信部９２は、操作検知部９０により検知される操作入力に対応するコマンドを生成して、画像処理装置２に対して送信する処理部である。コンテンツサーバー４は、操作入力信号とコマンドとを対応付けるコマンド対応情報を予め記憶部７４に記憶する。コマンド送信部９２は、コマンド対応情報７９を参照して操作入力に対応するコマンドを生成する。一例として、コマンド対応情報７９は、第２操作画面情報７６がブラウザ１１０により読み取られて表示された操作画面における操作入力信号と、画像処理装置２に対するコマンドとを対応付ける情報である。コマンド送信部９２は、生成されたコマンドを画像処理装置２に対して送信する。コマンドを受信すると、画像処理装置２のジョブ実行部４８（図２参照）は、コマンドに応じて画像処理に関する設定やジョブ実行を行う。
【００５７】
図２に戻り、画像処理装置２の制御部１６は、指示送信部５６としてさらに機能する。指示送信部５６は、情報処理端末６に対してコンテンツサーバー４へのアクセス指示を送信する処理部である。指示送信部５６は、ページ転送部５４により導入画面情報７８が情報処理端末６に対して送信されてから所定時間が経過するまでの間に、コンテンツサーバー４からコマンドを受信しない場合に、情報処理端末６に対してアクセス指示を送信する。
【００５８】
導入画面情報７８が情報処理端末６に受信され、ブラウザ１１０により読み取られると、導入画面情報７８に埋め込まれているプログラムが実行され、情報処理端末６は自動でコンテンツサーバー４に対してアクセス要求を送信する。これにより、コンテンツサーバー４から第２操作画面情報７６を送信し、ブラウザ１１０により操作画面が表示され、ユーザーの操作入力に応じて、コンテンツサーバー４から画像処理装置２に対してコマンドが送信される。しかし、ブラウザ１１０のセキュリティ設定により導入画面情報７８に埋め込まれているプログラムの実行が制限されるなどにより、コンテンツサーバー４に自動でアクセス要求が送信されない場合があり得る。
【００５９】
指示送信部５６は導入画面情報７８が情報処理端末６に送信されてから所定時間が経過しても、コンテンツサーバー４からコマンドを受信しない場合、情報処理端末６に対してアクセス指示を送信し、情報処理端末６の表示部１１２にコンテンツサーバー４へのアクセスを促す画像を表示させる。これにより、情報処理端末６のユーザーの手動操作により、情報処理端末６からコンテンツサーバー４に対するアクセス要求送信を促すのである。
【００６０】
次に、本実施形態における画像処理システム１を構成する情報処理端末６の構成を説明する。情報処理端末６は、画像処理装置２やコンテンツサーバー４など外部デバイスとの有線又は無線による通信を行う通信インタフェース１００と、表示パネル１０２と、ＣＰＵ１０４と、記憶部１０６とを備える。
【００６１】
表示パネル１０２は、液晶ディスプレイなどで構成される表示部１１２と、各種操作を受け付ける操作部１１４とを備える。ＣＰＵ１０４は、記憶部１０６に予め記憶されているブラウザプログラム１２０を実行することにより、ブラウザ１１０として機能する。ブラウザ１１０は、画像処理装置２やコンテンツサーバー４に対するアクセス要求を送信するアクセス要求部１１６と、表示部１１２における表示を制御する表示処理部１１８とを備える。
【００６２】
アクセス要求部１１６は、操作部１１４の操作に応じて、画像処理装置２やコンテンツサーバー４など外部デバイスに対するアクセス要求を送信する。情報処理端末６が導入画面情報７８を受信してブラウザ１１０により読み取られると、導入画面情報７８に埋め込まれるプログラムが実行される。このプログラムが実行されることにより、アクセス要求部１１６が機能し、導入画面Ｇ１のＵＲＬ表示１３２に示される宛先にアクセス要求を送信する。
【００６３】
表示処理部１１８は、画像処理装置２やコンテンツサーバー４から第１操作画面情報３０又は第２操作画面情報７６を受信した場合、表示部１１２に操作画面を表示させる。表示処理部１１８は、操作画面が表示部１１２に表示されている状態で操作部１１４に対する操作が行われると、操作入力を検知すると共に、検知した操作入力信号を接続状態にある画像処理装置２又はコンテンツサーバー４に対して送信する。これにより、画像処理装置２に画像処理に関する設定やジョブを実行させることができる。
【００６４】
なお、上述した例では、画像処理システム１は１台の画像処理装置２を備える場合を説明したが、画像処理システム１は、複数の画像処理装置２を備え、各画像処理装置２はコンテンツサーバー４と通信を行ってもよい。情報処理端末６が一の画像処理装置２にアクセスした後にコンテンツサーバー４にアクセスすると共に、第２操作画面情報７６をコンテンツサーバー４から受信して操作画面を表示させる場合、情報処理端末６は、コンテンツサーバー４に対してアクセス要求と共に当該一の画像処理装置２の識別情報を送信する。
【００６５】
ブラウザ１１０は、当該一の画像処理装置２のＩＰアドレスなどの識別情報をコンテンツサーバー４に送信する。コンテンツサーバー４は、受信した識別情報に基づいて、当該一の画像処理装置２に対するコマンドを生成すると共に、生成されたコマンドを当該一の画像処理装置２に送信する。これにより、コンテンツサーバー４は、複数の画像処理装置２のうち一の画像処理装置２に対して的確にコマンドを送信可能となる。
【００６６】
これとは異なり、コンテンツサーバー４は、第２操作画面情報７６を所定の記憶領域に記憶させた後に、この記憶領域を宛先とする導入画面情報７８を生成して、一の画像処理装置２に送信してもよい。当該一の画像処理装置２から受信した導入画面情報７８に基づいて、情報処理端末６が指定された宛先へのアクセス要求をコンテンツサーバー４に送信すると、コンテンツサーバー４は、情報処理端末６が当該一の画像処理装置２から受信した導入画面情報７８に基づいてアクセスしてきたことを認識可能となる。そうすると、情報処理端末６から操作入力信号を受信すると、コンテンツサーバー４は、当該一の画像処理装置２に対するコマンドを生成して送信することができる。
【００６７】
次に、本実施形態の画像処理システム１を構成する画像処理装置２，コンテンツサーバー４及び情報処理端末６の動作を説明する。図８は、画像処理システム１の動作態様の一例を示すシーケンス図である。情報処理端末６及び画像処理装置２がそれぞれ起動する（プロセスＰ１及びプロセスＰ３）。情報処理端末６がブラウザを起動して、画像処理装置２に対してアクセス要求を送信すると（プロセスＰ５）、画像処理装置２は、情報処理端末６からブラウザ１１０のブラウザ情報６０を取得する（プロセスＰ７）。ブラウザ情報６０を取得すると、画像処理装置２は、ブラウザ１１０が第１操作画面情報３０のフォーマットに対応するか否かを判定する（プロセスＰ９）。
【００６８】
画像処理装置２は、ブラウザ１１０が第１操作画面情報３０のフォーマットに対応する場合、情報処理端末６に対して第１操作画面情報３０を送信する。図例では、ブラウザ１１０が第１操作画面情報３０のフォーマットに対応しないため、画像処理装置２はコンテンツサーバー４に対してページ要求を送信する（プロセスＰ１１）。画像処理装置２は、ページ要求と共にブラウザ情報６０もコンテンツサーバー４に対して送信する。コンテンツサーバー４は、ページ要求を画像処理装置２から受信すると、ブラウザ情報６０を読み取る（プロセスＰ１３）。そして、コンテンツサーバー４は、ブラウザ１１０に対応する第２操作画面情報７６を抽出して（プロセスＰ１５）、抽出した第２操作画面情報７６を画像処理装置２に送信する（プロセスＰ１７）。
【００６９】
画像処理装置２は、第２操作画面情報７６を受信すると、記憶部１８の所定領域内に受信した第２操作画面情報７６を記憶させることにより、第２操作画面情報７６を取得する（プロセスＰ１９）。画像処理装置２は、情報処理端末６に対して第２操作画面情報７６を送信する（プロセスＰ２１）。第２操作画面情報７６を受信すると、情報処理端末６は、第２操作画面を表示部１１２に表示させる。これにより、ブラウザ１１０により画像処理装置２に対する設定を行うための操作画面が、表示部１１２において良好に表示されるのである。
【００７０】
情報処理端末６が、操作部１１４の操作による入力を検知すると（プロセスＰ２５）、画像処理装置２に対して送信する（プロセスＰ２７）。画像処理装置２は操作入力を受信すると、操作入力に応じた設定を行う（プロセスＰ２９）。次に、情報処理端末６は、画像処理装置２に対するジョブ実行を指示する操作入力を検知すると（プロセスＰ３１）、画像処理装置２に対して送信する（プロセスＰ３３）。情報処理端末６は、ジョブの実行を指示する操作入力を画像処理装置２に対して送信すると、第２操作画面を表示部１１２から消去させる。画像処理装置２は、ジョブ実行を指示する操作入力を受信すると、操作入力に応じてジョブを実行し（プロセスＰ３７）、記憶部１８に記憶されている第２操作画面情報７６を消去させる（プロセスＰ３９）。ジョブ実行後に第２操作画面情報７６を消去させることにより、記憶部１８の記憶可能領域を確保できる。
【００７１】
図９は、図８に示した例とは異なる画像処理システム１における動作態様の一例を示すシーケンス図である。図９におけるプロセスＰ１乃至プロセスＰ１３は、図８に示した場合と同じであるため、説明を省略する。コンテンツサーバー４は、ブラウザ情報６０に基づいて抽出した第２操作画面情報７６を画像処理装置２に送信しない場合に、導入画面情報７８を画像処理装置２に送信する（プロセスＰ５１）。これにより、情報処理端末６をコンテンツサーバー４にアクセスさせることにより、コンテンツサーバー４から情報処理端末６に対して直接第２操作画面情報７６を送信するのである。導入画面情報７８を受信すると、画像処理装置２は、受信した導入画面情報７８を情報処理端末６に対して送信する（プロセスＰ５３）。導入画面情報７８を受信すると、情報処理端末６のブラウザ１１０により導入画面Ｇ１が表示部１１２に表示される。そして、導入画面情報７８に含まれるプログラムが起動して、情報処理端末６をコンテンツサーバー４にアクセスさせる（プロセスＰ５７）。なお、情報処理端末６は、アクセス要求と共に、画像処理装置２のＩＰアドレスなど識別情報を送信してもよい。これにより、画像処理システム１が複数の画像処理装置２を備える場合に、いずれの画像処理装置２に対するコマンドを生成するべきかコンテンツサーバー４に認識させるのである。或いは、これとは異なり、導入画面情報７８を送信する際に、コンテンツサーバー４における第２操作画面情報７６が格納されている記憶領域に情報処理端末６をアクセスさせるプログラムを送信する。そして、このプログラムが実行されて情報処理端末６がコンテンツサーバー４における当該記憶領域にアクセスしてくると、コンテンツサーバー４は、いずれの画像処理装置２に対する設定を行うコマンドを生成するべきか判別する。情報処理端末６からアクセス要求を受信すると、コンテンツサーバー４は、第２操作画面情報７６を情報処理端末６に対して送信する（プロセスＰ５９）。
【００７２】
第２操作画面情報７６を受信すると、情報処理端末６は操作画面を表示部１１２に表示させる（プロセスＰ６１）。そして、操作部１１４に対する操作入力が行われると（プロセスＰ６３）、情報処理端末６は、入力内容をコンテンツサーバー４に対して送信する（プロセスＰ６５）。操作入力信号を受信すると、コンテンツサーバー４は、操作入力信号に応じて画像処理装置２に対するコマンドを生成して（プロセスＰ６７）、画像処理装置２に対してコマンドを送信する（プロセスＰ６９）。なお、コンテンツサーバー４と通信可能な画像処理装置２が複数である場合、コンテンツサーバー４は、情報処理端末６からアクセス要求と共に受信する（プロセスＰ５７参照）画像処理装置２の識別情報に基づいて、複数の画像処理装置２のうち、いずれの画像処理装置２に対するコマンドを生成するか判定する。画像処理装置２は、コマンドを受信すると、コマンドに応じてジョブの設定を行う（プロセスＰ７１）。
【００７３】
次に、情報処理端末６によりジョブの実行を指示する操作入力が行われると（プロセスＰ７３）、情報処理端末６は操作入力信号をコンテンツサーバー４に対して送信する（プロセスＰ７５）。操作入力信号を送信すると、情報処理端末６は第２操作画面を表示部１１２から消去させる（プロセスＰ７７）。操作入力の内容を受信すると、コンテンツサーバー４はこの操作入力信号に応じてコマンドを生成する（プロセスＰ７９）。画像処理システム１が複数の画像処理装置２を備える場合、コンテンツサーバー４は、情報処理端末６から受信する画像処理装置２の識別情報に基づいて、複数の画像処理装置２のうち、いずれの画像処理装置２に対するコマンドを生成するのか判別する。
【００７４】
最後に、コンテンツサーバー４は、画像処理装置２に対するコマンドを生成すると、生成したコマンドを画像処理装置２に対して送信する（プロセスＰ８１）。コマンドを受信すると、画像処理装置２は、受信したコマンドに応じてジョブを実行する（プロセスＰ８３）。
【００７５】
次に、本実施形態の画像処理システム１において行われる処理手順を説明する。図１０は、画像処理システム１を構成する画像処理装置２において行われる主要な処理手順の一例を示すフローチャートである。まず、画像処理装置２は、情報処理端末６からアクセス要求を受信したか否かを判定する（ステップＳ１）。アクセス要求を受信したと判定した場合（ステップＳ１でＹＥＳ）、情報処理端末６のブラウザ情報６０を取得する（ステップＳ３）。
【００７６】
画像処理装置２は、ブラウザ情報６０を取得すると、記憶部１８に記憶されているブラウザ対応情報３２を参照して（ステップＳ５）、情報処理端末６のブラウザ１１０が第１操作画面情報３０に対応しているか否かを判定する判定処理（ステップＳ７）を実行する。判定処理（ステップＳ９）の具体的な処理手順は後述する。
【００７７】
次に画像処理装置２は、ジョブの設定などを実行する設定処理（ステップＳ９）を実行する。設定処理（ステップＳ９）の具体的な処理手順は後述する。ステップＳ１において情報処理端末６からアクセス要求を受信しなかった場合（ステップＳ１でＮＯ）、画像処理装置２は、情報処理端末６がアクセス中であるか否かを判定する（ステップＳ１１）。情報処理端末６がアクセス中である場合（ステップＳ１１でＹＥＳ）、設定処理（ステップＳ９）を実行する。他方、情報処理端末６がアクセス中でない場合（ステップＳ１１でＮＯ）、設定処理（ステップＳ９）をスキップする。
【００７８】
最後に、画像処理装置２は、起動状態を終了させる指示入力を検知したか否かを判定し（ステップＳ１３）、終了指示を検知した場合（ステップＳ１３でＹＥＳ）、起動状態を終了させて処理を終了する。他方、終了指示を検知しなかった場合（ステップＳ１３でＮＯ）、ステップＳ１に戻り、終了指示が検知されるまで、ステップＳ１乃至ステップＳ１３の処理を繰り返し実行する。
【００７９】
図１１は、判定処理（図１０のステップＳ７）の具体的な処理手順の一例を示すフローチャートである。まず、画像処理装置２は、第１操作画面情報３０が情報処理端末６のブラウザ１１０に対応しているか否かを判定する（ステップＳ２１）。第１操作画面情報３０が情報処理端末６のブラウザ１１０に対応していると判定した場合（ステップＳ２１でＹＥＳ）、画像処理装置２は、第１操作画面情報３０を記憶部１８から読み出して（ステップＳ２３）、情報処理端末６に送信する（ステップＳ２５）。情報処理端末６に対して第１操作画面情報３０を送信すると、画像処理装置２は判定処理を終了させる。
【００８０】
ステップＳ２１において、第１操作画面情報３０が情報処理端末６のブラウザ１１０に対応していないと判定された場合（ステップＳ２１でＮＯ）、画像処理装置２は、コンテンツサーバー４に対してページ要求を送信して、第２操作画面情報７６を要求する（ステップＳ２７）。ページ要求を送信すると、画像処理装置２は第２操作画面情報７６をコンテンツサーバー４から受信したか否かを判定する（ステップＳ２９）。
【００８１】
コンテンツサーバー４から第２操作画面情報７６を受信した場合（ステップＳ２９でＹＥＳ）、画像処理装置２は、受信された第２操作画面情報７６を、情報処理端末６に対して送信して（ステップＳ３１）、判定処理を終了させる。他方、第２操作画面情報７６を受信しなかった場合（ステップＳ２９でＮＯ）、画像処理装置２は、情報処理端末６をコンテンツサーバー４にアクセスさせる切換処理（ステップＳ３３）を実行する。切換処理（ステップＳ３３）の具体的な処理手順は後述する。
【００８２】
図１２は、切換処理（図１１のステップＳ３３）の具体的な処理手順の一例を示すフローチャートである。まず、画像処理装置２は、コンテンツサーバー４から導入画面情報７８を受信したか否かを判定する（ステップＳ４１）。導入画面情報７８を受信した場合（ステップＳ４１でＹＥＳ）、画像処理装置２は、情報処理端末６に対して導入画面情報７８を送信する（ステップＳ４３）。
【００８３】
他方、導入画面情報７８を受信しなかった場合（ステップＳ４１でＮＯ）、導入画面情報７８を情報処理端末６に対して送信済みであるか否かを判定する（ステップＳ４５）。導入画面情報７８を情報処理端末６に送信済みである場合（ステップＳ４５でＹＥＳ）、画像処理装置２は、ステップＳ４３をスキップする。導入画面情報７８を情報処理端末６に送信済みではない場合（ステップＳ４５でＮＯ）、情報処理端末６にエラー報知画面情報を送信して（ステップＳ４７）切換処理を終了させる。コンテンツサーバー４から導入画面情報７８を受信しなかった場合には、情報処理端末６をコンテンツサーバー４にアクセスさせることができない。そのため、画像処理装置２は、情報処理端末６にエラー報知画面情報を送信することにより、情報処理端末６のユーザーに対してエラーが発生したことを報知するのである。
【００８４】
導入画面情報７８が情報処理端末６に送信された場合（ステップＳ４３又はステップＳ４５でＹＥＳの場合）、画像処理装置２は、コンテンツサーバー４からコマンドを受信したか否かを判定する（ステップＳ４９）。コマンドを受信した場合（ステップＳ４９でＹＥＳ）、切換処理を終了させる。そして、後述する設定処理（図１０のステップＳ９）を実行することにより、受信したコマンドに応じた設定を行う。
【００８５】
コマンドを受信しない場合（ステップＳ４９でＮＯ）、画像処理装置２は、導入画面情報７８を情報処理端末６に送信してから所定時間が経過したか否かを判定する（ステップＳ５１）。所定時間を経過したと判定した場合（ステップＳ５１でＹＥＳ）、画像処理装置２は、情報処理端末６のユーザーに対して、コンテンツサーバー４にアクセスするよう指示するアクセス指示画面情報を生成すると共に（ステップＳ５３）、情報処理端末６にアクセス指示画面情報を送信して（ステップＳ５５）切換処理を終了させる。ステップＳ５１において所定時間が経過していない場合（ステップＳ５１でＮＯ）、ステップＳ５３及びステップＳ５５をスキップする。導入画面情報７８を情報処理端末６に送信してから所定時間が経過してもコマンドを受信しない場合には、導入画面情報７８に基づく情報処理端末６からコンテンツサーバー４へのアクセスが行われなかった可能性がある。そこで、画像処理装置２は、情報処理端末６に対しアクセス指示画面情報を送信することにより、コンテンツサーバー４にアクセスするよう指示するのである。
【００８６】
図１３は、設定処理（図１０のステップＳ９）の具体的な処理手順の一例を示すフローチャートである。画像処理装置２は、操作入力を検知したか否かを判定する（ステップＳ６１）。情報処理端末６において操作画面が表示されている状態で操作入力が行われると、情報処理端末６から画像処理装置２に対して送信され、これを画像処理装置２が受信すると、操作入力を検知する。画像処理装置２が操作入力を検知した場合（ステップＳ６１でＹＥＳ）、操作入力に応じた設定を行う（ステップＳ６３）。また、画像処理装置２は、コンテンツサーバー４からコマンドを受信した場合においても、ステップＳ６３の処理を実行する。操作入力を検知しなかった場合（ステップＳ６１でＮＯ）、ステップＳ６３をスキップする。
【００８７】
次に、画像処理装置２は、ジョブ実行を指示する操作入力を検知したか否かを判定する（ステップＳ６５）。ジョブ実行を指示する操作入力を検知した場合（ステップＳ６５でＹＥＳ）、画像処理装置２は操作入力に応じてジョブを実行して（ステップＳ６７）設定処理を終了させる。ジョブ実行を指示する操作入力を検知しなかった場合（ステップＳ６５でＮＯ）、ステップＳ６７をスキップする。
【００８８】
本実施形態における画像処理システム１を構成するコンテンツサーバー４において行われる処理手順を説明する。図１４は、コンテンツサーバー４において行われる主要な処理手順の一例を示すフローチャートである。コンテンツサーバー４は起動すると、終了指示入力を検知しない限り起動状態を継続する。コンテンツサーバー４は、画像処理装置２からページ要求を受信したか否かを判定する（ステップＳ１０１）。ページ要求を受信した場合（ステップＳ１０１でＹＥＳ）、ページ要求と共に受信した情報処理端末６のブラウザ情報６０を読み取る（ステップＳ１０３）。次にコンテンツサーバー４は、読み取ったブラウザ情報６０に応じて画面情報を送信する画面送信処理（ステップＳ１０５）を実行する。画面送信処理（ステップＳ１０５）の具体的な処理手順は後述する。
【００８９】
他方、ステップＳ１０１において画像処理装置２からページ要求を受信しなかった場合（ステップＳ１０１でＮＯ）、ステップＳ１０３及びステップＳ１０５をスキップする。次にコンテンツサーバー４は、情報処理端末６からのアクセスに応じた処理を行うアクセス処理（ステップＳ１０７）を実行する。アクセス処理（ステップＳ１０７）の具体的な処理手順は後述する。アクセス処理（ステップＳ１０７）を実行すると、コンテンツサーバー４はステップＳ１０１に戻り、ステップＳ１０１乃至ステップＳ１０７の処理を繰り返し実行する。
【００９０】
図１５は、画面送信処理（図１４のステップＳ１０５）の具体的な処理手順の一例を示すフローチャートである。コンテンツサーバー４は、画像処理装置２から受信したブラウザ情報６０に基づいて、情報処理端末６のブラウザ１１０に対応する第２操作画面情報７６があるか否かを判定する（ステップＳ１１１）。ブラウザ１１０に対応する第２操作画面情報７６があると判定した場合（ステップＳ１１１でＹＥＳ）、コンテンツサーバー４は、ブラウザ１１０に対応する第２操作画面情報７６を抽出する（ステップＳ１１３）。
【００９１】
次に、本実施形態においてコンテンツサーバー４は、抽出した第２操作画面情報７６のデータ量が所定値以上であるか否かを判定する（ステップＳ１１５）。第２操作画面情報７６のデータ量が所定値以上ではない場合（ステップＳ１１５でＮＯ）、さらにコンテンツサーバー４は、第２操作画面情報７６により表示される第２操作画面が、例えば外部サーバーにおいて提供される画像など外部のコンテンツと連携するか否かを判定する（ステップＳ１１７）。第２操作画面が外部のコンテンツと連携しない場合（ステップＳ１１７でＮＯ）、コンテンツサーバー４は、画像処理装置２に対して第２操作画面情報７６を送信して（ステップＳ１１９）画面送信処理を終了させる。
【００９２】
ステップＳ１１５において、第２操作画面情報７６のデータ量が所定値以上である場合（ステップＳ１１５でＹＥＳ）、或いは、ステップＳ１１７において、第２操作画面が外部のコンテンツと連携している場合（ステップＳ１１７でＹＥＳ）、コンテンツサーバー４は、画像処理装置２に対して、第２操作画面情報７６ではなく導入画面情報７８を送信して（ステップＳ１２１）画面送信処理を終了させる。第２操作画面情報７６のデータ量が所定値以上である場合、コンテンツサーバー４から画像処理装置２に対して送信すると、画像処理装置２における処理負担が増大するため処理遅延が生じる。第２操作画面が外部のコンテンツと連携している場合、画像処理装置２を経由することにより外部コンテンツとの通信経路が複雑化する場合がある。そこで、これらの場合には、第２操作画面情報７６を画像処理装置２に送信して、画像処理装置２から情報処理端末６に送信させるのではなく、情報処理端末６からコンテンツサーバー４に直接アクセスさせ、コンテンツサーバー４から情報処理端末６に対して直接第２操作画面情報７６を送信するのである。
【００９３】
ステップＳ１１１において、ブラウザ１１０に対応する第２操作画面情報７６がない場合（ステップＳ１１１でＮＯ）、コンテンツサーバー４は、ブラウザ１１０により第２操作画面を表示させることができないことを報知するエラー報知画面情報を、画像処理装置２に対して送信して（ステップＳ１２３）画面送信処理を終了させる。ブラウザ１１０に対応する第２操作画面情報７６がない場合には、情報処理端末６のブラウザ１１０により第２操作画面を表示させることができない。そこで、コンテンツサーバー４は、エラー報知画面情報を画像処理装置２に対して送信し、画像処理装置２から情報処理端末６にさらに送信させて、情報処理端末６のユーザーに第２操作画面を表示できないことを報知するのである。
【００９４】
図１６は、アクセス処理（図１４のステップＳ１０７）の具体的な処理手順の一例を示すフローチャートである。コンテンツサーバー４はまず、情報処理端末６からアクセス要求を受信したか否かを判定する（ステップＳ１３１）。情報処理端末６からアクセス要求を受信した場合（ステップＳ１３１でＹＥＳ）、コンテンツサーバー４は、情報処理端末６に対して第２操作画面情報７６を送信する（ステップＳ１３３）。情報処理端末６からアクセス要求を受信しなかった場合（ステップＳ１３１でＮＯ）、さらにコンテンツサーバー４は、情報処理端末６がアクセス中であるか否かを判定する（ステップＳ１３５）。情報処理端末６がアクセス中ではない場合（ステップＳ１３５でＮＯ）、コンテンツサーバー４はアクセス処理を終了させる。
【００９５】
情報処理端末６がアクセス中である場合（ステップＳ１３５でＹＥＳ）、コンテンツサーバー４は、次に、情報処理端末６における操作入力を検知したか否かを判定する（ステップＳ１３７）。情報処理端末６のブラウザ１１０により第２操作画面が表示されている状態で、情報処理端末６の操作部１１４の操作に基づく入力が行われると、情報処理端末６からコンテンツサーバー４に対して送信される。情報処理端末６から操作入力を受信すると、コンテンツサーバー４は操作入力を検知する。
【００９６】
操作入力を検知した場合（ステップＳ１３７でＹＥＳ）、コンテンツサーバー４は、操作入力に応じて、画像処理装置２に対するコマンドを生成する（ステップＳ１３９）。最後に、コンテンツサーバー４は、生成されたコマンドを画像処理装置２に対して送信して（ステップＳ１４１）、アクセス処理を終了させる。操作入力を検知しなかった場合（ステップＳ１３７でＮＯ）、ステップＳ１３９及びステップＳ１４１をスキップしてアクセス処理を終了させる。
【００９７】
（変形例）
以上、本発明に関する一実施形態を説明したが、本発明は上記実施形態において説明した内容のものに限られるのではなく、種々の変形例が適用可能である。
【００９８】
上記実施形態において、ウェブページの例として画像処理装置２の操作画面を示したが、本発明はこれに限られず、ブラウザにより表示されるウェブページを広く含む。
【符号の説明】
【００９９】
１      画像処理システム（画像処理システム）
２      画像処理装置（画像処理装置）
４      コンテンツサーバー（コンテンツサーバー）
６      情報処理端末（情報処理端末）
３０    第１操作画面情報（第１のウェブページ）
４２    判定部（判定手段）
４４    第１表示制御部（第１の表示制御手段）
５０    ページ要求部（要求手段、通知手段）
５２    第２表示制御部（第２の表示制御手段）
５４    ページ転送部（ページ転送手段）
５６    指示送信部（指示送信手段）
６０    ブラウザ情報（ブラウザ情報）
７６    第２操作画面情報（第２のウェブページ）
７８    導入画面情報（導入ページ）
８２    ページ管理部
８４    ページ送信部（ページ送信手段）
８６    導入画面生成部（導入生成手段）
８８    第３表示制御手段（第３の表示制御手段）
９０    操作検知部（操作検知手段）
９２    コマンド送信部（コマンド送信手段）
１１０  ブラウザ（ブラウザ）
【図１】
2018165917.tif 000003
【図２】
2018165917.tif 000004
【図３】
2018165917.tif 000005
【図４】
2018165917.tif 000006
【図５】
2018165917.tif 000007
【図６】
2018165917.tif 000008
【図７】
2018165917.tif 000009
【図８】
2018165917.tif 000010
【図９】
2018165917.tif 000011
【図１０】
2018165917.tif 000012
【図１１】
2018165917.tif 000013
【図１２】
2018165917.tif 000014
【図１３】
2018165917.tif 000015
【図１４】
2018165917.tif 000016
【図１５】
2018165917.tif 000017
【図１６】
2018165917.tif 000018